(57)【要約】【課題】  後部座席の搭乗者と前部座席の搭乗者との会話の明瞭性を維持しつつ、車室内の不要な音を吸収することができる車両用吸音材を提供する。【解決手段】  少なくとも繊維材と表皮材とが一体成形された本体部を備え、車室内に取付られた車両用吸音材であって、前記本体部の少なくとも一部に設けられた吸音部は、前部座席のヘッドレスト下面から下方への鉛直距離Ｅｌｈが０．１〜０．４ｍの範囲内で車室内に取り付けられるように形成され、通気抵抗ＡＦＲ（Ｎｓ／ｍ３）及び鉛直距離Ｅｌｈ（ｍ）が、２１０＜ＡＦＲ＋１０／Ｅｌｈ＜３０２０の関係を満たすことを特徴とする。
2020049797.tif 000002
【特許請求の範囲】
【請求項１】
少なくとも繊維材と表皮材とが一体成形された本体部を備え、車室内に取付られた車両用吸音材であって、
前記本体部の少なくとも一部に設けられた吸音部は、
前部座席のヘッドレスト下面から下方への鉛直距離Ｅｌｈが０．１〜０．４ｍの範囲内で車室内に取り付けられるように形成され、通気抵抗ＡＦＲ（Ｎｓ／ｍ３）及び鉛直距離Ｅｌｈ（ｍ）が、
２１０＜ＡＦＲ＋１０／Ｅｌｈ＜３０２０
の関係を満たすこと
を特徴とする車両用吸音材。
【請求項２】
請求項１に記載の車両用吸音材において、
前記吸音部は、
前記繊維材の前記表皮材とは反対側に非通気性材が重ねられていること
を特徴とする車両用吸音材。
【請求項３】
請求項２に記載の車両用吸音材において、
前記非通気性材は、
非通気性の薄膜フィルムであること
を特徴とする車両用吸音材。
【請求項４】
請求項１〜３のいずれか１項に記載の車両用吸音材において、
前記吸音部は、
前記繊維材と前記表皮材との間に５ｍｍ以上１５ｍｍ以下の厚さの発泡層を有すること
を特徴とする車両用吸音材。
【請求項５】
請求項１〜４のいずれか１項に記載の車両用吸音材において、
前記吸音部は、
１０００Ｈｚ以上の吸音率が１０００Ｈｚ未満の吸音率よりも高くされていること
を特徴とする車両用吸音材。
【発明の詳細な説明】
【技術分野】
【０００１】
本発明は、車両用吸音材に関する。
【背景技術】
【０００２】
自動車等の車両においては、車室内の意匠性を向上させつつ、不要な音を吸収する吸音材を使用することが知られている。また、消音のために、２つの繊維層の間に１つの通気性中間フィルム層を備え、厚みが４〜１２．５ｍｍである領域において、全気流抵抗（ＡＦＲｏｖｅｒａｌｌ：単位はＮｓ／ｍ３）と全体密度ρ（ｋｇ／ｍ３）とが、１５００＜ＡＦＲｏｖｅｒａｌｌ−１０ρ＜３８００の関係を有する自動車用多層トリム部品が知られている（例えば特許文献１参照）。
【先行技術文献】
【特許文献】
【０００３】
【特許文献１】特表２０１７−５３３１４２号公報
【発明の概要】
【発明が解決しようとする課題】
【０００４】
しかしながら、従来のダッシュインシュレータやカーペットでは、通気抵抗が比較的高めに設定されて吸音効果を上げられており、搭乗者の会話の周波数帯においても吸音効果があった。そのため、同じ材料により形成された吸音材が搭乗者の耳の位置に近い前部座席の背面などに配置されると、後部座席の搭乗者が前部座席の搭乗者に対して話をする時に、後部座席の搭乗者の声が吸収されてしまい、会話がしづらくなってしまうという問題があった。【０００５】
本発明は、上記に鑑みてなされたものであって、後部座席の搭乗者と前部座席の搭乗者との会話の明瞭性を維持しつつ、車室内の不要な音を吸収することができる車両用吸音材を提供することを目的とする。
【課題を解決するための手段】
【０００６】
上述した課題を解決し、目的を達成するために、本発明の一態様にかかる車両用吸音材は、少なくとも繊維材と表皮材とが一体成形された本体部を備え、車室内に取付られた車両用吸音材であって、前記本体部の少なくとも一部に設けられた吸音部は、前部座席のヘッドレスト下面から下方への鉛直距離Ｅｌｈが０．１〜０．４ｍの範囲内で車室内に取り付けられるように形成され、通気抵抗ＡＦＲ（Ｎｓ／ｍ３）及び鉛直距離Ｅｌｈ（ｍ）が、２１０＜ＡＦＲ＋１０／Ｅｌｈ＜３０２０の関係を満たすことを特徴とする。【０００７】
また、本発明の一態様にかかる車両用吸音材において、前記吸音部は、前記繊維材の前記表皮材とは反対側に非通気性材が重ねられていることを特徴とする。【０００８】
また、本発明の一態様にかかる車両用吸音材において、前記非通気性材は、非通気性の薄膜フィルムであることを特徴とする。【０００９】
また、本発明の一態様にかかる車両用吸音材において、前記吸音部は、前記繊維材と前記表皮材との間に５ｍｍ以上１５ｍｍ以下の厚さのウレタン等の発泡素材を有することを特徴とする。【００１０】
また、本発明の一態様にかかる車両用吸音材において、前記吸音部は、１０００Ｈｚ以上の吸音率が１０００Ｈｚ未満の吸音率よりも高くされていることを特徴とする。
【発明の効果】
【００１１】
本発明によれば、後部座席の搭乗者と前部座席の搭乗者との会話の明瞭性を維持しつつ、車室内の不要な音を吸収することができるという効果を奏する。
【図面の簡単な説明】
【００１２】
【図１】一実施形態にかかる車両用吸音材を表側から見た状態を例示する斜視図である。
【図２】一実施形態にかかる車両用吸音材が車室内の前部座席の背面側に組み付けられる状態を例示する斜視図である。
【図３】車両用吸音材の裏側の構成を例示する図である。
【図４】一体成形されている本体部の断面を模式的に示す図である。
【図５】固定部の概略を例示する斜視図である。
【図６】（ａ）は、図１に示したＡ−Ａ線における断面構造を示す図である。（ｂ）は、図１に示したＢ−Ｂ線における断面構造を示す図である。
【図７】（ａ）は、それぞれ図６（ａ）における端末部の第１拡大図である。（ｂ）は、図６（ａ）における端末部の第２拡大図である。
【図８】直線距離幅に対する実幅の比と、車両用吸音材における端末部の強度比との関係を実験により計測した結果を示すグラフである。
【図９】車両用吸音材が車室内に取り付けられる位置を吸音部の配置によって例示する図である。
【図１０】車室内に配置される部材の吸音特性を例示するグラフである。
【図１１】車両用吸音材の第１変形例を裏側からみた構成例を示す図である。
【図１２】車両用吸音材の第２変形例を示す図である。
【図１３】（ａ）は、吸音部の第１変形例を示す図である。（ｂ）は、吸音部の第２変形例を示す図である。
【図１４】吸音部の第３変形例を示す図である。
【図１５】吸音部の第４変形例を示す図である。
【図１６】吸音部の第１変形例〜第３変形例の特性を示す図である。
【発明を実施するための形態】
【００１３】
以下に、車両用吸音材の一実施形態を、図面を用いて説明する。図１は、一実施形態にかかる車両用吸音材１を表側から見た状態を例示する斜視図である。また、図２は、一実施形態にかかる車両用吸音材１が車室内の前部座席５０の背面側に組み付けられる状態を例示する斜視図である。
【００１４】
図１及び図２に示すように、車両用吸音材１は、表側に取付穴が設けられることなく車室内に取付可能となるように、本体部１０が一体成形されている。本体部１０の略中央には、所定の通気抵抗が設定された吸音部１２が設けられている。吸音部１２は、図２に斜線で示した領域において、他の領域とは吸音特性が異なるように、厚さが他の領域よりも厚くされてもよい。例えば、吸音部１２は、搭乗者の会話に対する吸音を抑えつつ、車室内のその他の不要な音を吸収するように吸音特性が設定される。
【００１５】
また、本体部１０は、周辺端末が圧縮されることにより端末部１４が形成されている。さらに、端末部１４は、例えば本体部１０の側部及び上部において、折り曲げられた折曲部１６が形成されている。
【００１６】
そして、車両用吸音材１は、本体部１０の側部及び上部に形成された折曲部１６が前部座席５０の背面周辺の丸みに合わせられ、前部座席５０の背面側に沿って固定される。ここで、本体部１０の下部に形成された端末部１４は、前部座席５０の下方に折り曲げられる。
【００１７】
図３は、車両用吸音材１の裏側の構成を例示する図である。図３に示すように、吸音部１２は、吸音機能を備える領域が広くなるように本体部１０の略中央に配置されている。また、端末部１４の裏側には、前部座席５０に対して固定される複数の固定部１８が例えば５０〜２２０ｍｍの間隔で設けられている。そして、車両用吸音材１は、前部座席５０に対して取り付けられるときに、固定部１８と固定部１８との間に負荷がかかってしまう。固定部１８の形状・構造については、図５を用いて後述する。そして、端末部１４は、複数の固定部１８間で連続するように圧縮成形され、折曲部１６が形成されている。また、吸音部１２は、端末部１４の内方に端末部１４と段差を有して隣接し、かつ複数の固定部１８間に設けられ、車室内の音を吸音する。また、折曲部１６は、段差に略沿って、複数の固定部１８間で連続するように、端末部１４の少なくとも一部が折り曲げられている。
【００１８】
図４は、一体成形されている本体部１０の断面を模式的に示す図である。図４に示すように、本体部１０は、例えば第１繊維材１００、第２繊維材１０２、ＰＥパウダー１０４及び表皮１０６が重ねられて一体成形されることによって構成されている。
【００１９】
第１繊維材１００は、例えば９００ｇ／ｍ２のＰＥＴ（ポリエチレンテレフタレート）によって形成されている。第２繊維材１０２は、例えば２００ｇ／ｍ２のＰＥＴによって形成されている。ＰＥパウダー１０４は、例えば１００ｇ／ｍ２の粉体のＰＥ（ポリエチレン）である。表皮１０６は、例えば１５０ｇ／ｍ２のトリコットなどの表皮材である。
【００２０】
図５は、固定部１８の概略を例示する斜視図である。固定部１８は、例えばプラスチックによって形成されており、接合突起１８０の下面に接着面１８２が設けられた構成となっている。接合突起１８０は、前部座席５０の背面側に設けられる複数の接合部（図示せず）に対し、接着剤が用いられることなく、材料の弾性により機械的に結合可能にされている。接着面１８２は、固定部１８が車両用吸音材１の端末部１４に対して接着剤で固定されるために設けられている。
【００２１】
次に、本体部１０の構造について詳述する。
【００２２】
図６は、本体部１０の断面構造を示す図である。図６（ａ）は、図１に示したＡ−Ａ線における断面構造を示す図である。図６（ｂ）は、図１に示したＢ−Ｂ線における断面構造を示す図である。また、図７（ａ），（ｂ）は、それぞれ図６（ａ）における端末部１４の拡大図である。
【００２３】
図６（ａ）に示すように、吸音部１２は、端末部１４のように圧縮されておらず、本体部１０の略中央に設けられ、所定の通気抵抗が設定されている。また、図６（ｂ）に示すように、吸音部１２は、端末部１４のように圧縮されておらず、本体部１０の略中央が図６（ａ）に示された部分よりも厚さが厚くされ、図６（ａ）に示された部分とは吸音特性が変えられている。
【００２４】
また、端末部１４は、位置Ｘ及び位置Ｙにおいて折り曲げられ、端部が湾曲させられることにより、折曲部１６が形成されている。ここで、折曲部１６は、図７（ａ）に示したように、位置Ｘで折り曲げられた部分において、直線距離幅Ｌ１に対する実幅（実長さ）Ｌ２の比が１よりも大きく１．３よりも小さくなるようにされている。つまり、折曲部１６は、段差から端末部１４の外側端までの直線距離幅に対する実幅の比が１よりも大きく１．３よりも小さい。段差は複数設けられ、吸音部１２側の段差が端末部１４側の段差より高くなっている。
【００２５】
また、折曲部１６は、図７（ｂ）に示したように、位置Ｘ及び位置Ｙで折り曲げられた部分において、直線距離幅Ｌ１に対する実幅Ｌ２の比が１よりも大きく１．３よりも小さくなるようにされている。つまり、折曲部１６は、幅方向で複数回折り曲げられている場合、折り曲げられた各々の直線距離幅Ｌ１に対する実幅Ｌ２の比、及び全体の直線距離幅Ｌ１に対する実幅Ｌ２の比がそれぞれ１よりも大きく１．３よりも小さくなるようにされている。
【００２６】
図８は、直線距離幅Ｌ１に対する実幅Ｌ２の比と、車両用吸音材１における端末部１４の強度比との関係を実験により計測した結果を示すグラフである。なお、図８においては、端末部１４に設けられた固定部１８と固定部１８との間隔を５８ｍｍとし、この５８ｍｍを支点の間隔として、端末部１４に荷重をかけた場合の変位量を計測し、この場合の直線距離幅Ｌ１に対する実幅Ｌ２の比が１であるときの強度を基準（強度＝１）として、端末部１４の強度比が示されている。ここで、直線距離幅Ｌ１に対する実幅Ｌ２の比が１であるときは、端末部１４が折り曲げられることなく平面状であることを示している。
【００２７】
よって、図８にＡで示された曲線は、支点の間隔（固定部１８と固定部１８との間隔）を５８ｍｍとしたときの、直線距離幅Ｌ１に対する実幅Ｌ２の比と、端末部１４の強度との関係を示している。また、図８にＢで示された曲線は、支点の間隔を４０ｍｍとしたときの、直線距離幅Ｌ１に対する実幅Ｌ２の比と、端末部１４の強度との関係を示している。また、図８にＣで示された曲線は、支点の間隔を２００ｍｍとしたときの、直線距離幅Ｌ１に対する実幅Ｌ２の比と、端末部１４の強度との関係を示している。
【００２８】
図８に示すように、端末部１４は、支点の間隔（固定部１８と固定部１８との間隔）の長短にかかわらず、直線距離幅Ｌ１に対する実幅Ｌ２の比が約１．３となるときに、強度が最も高くなる傾向があることが確認された。このため、端末部１４は、直線距離幅Ｌ１に対する実幅Ｌ２の比が１よりも大きく１．３よりも小さくなるように形成されている。
【００２９】
次に、車両用吸音材１が車室内に取り付けられる位置と、車両用吸音材１の吸音特性とについて説明する。
【００３０】
図９は、車両用吸音材が車室内に取り付けられる位置を吸音部の配置によって例示する図である。例えば、図１に示した車両用吸音材１は、本体部１０の略中央に設けられた吸音部１２が、前部座席５０のヘッドレスト５００の下面から下方への鉛直距離Ｅｌｈが０．１〜０．４ｍの範囲内で車室内に取り付けられるように形成されている。
【００３１】
また、前部座席５０と後部座席５２との間で、後部座席５２側のドアなどの内側に車両用吸音材が設けられる場合にも、当該車両用吸音材の吸音部２０は、前部座席５０のヘッドレスト５００の下面から下方への鉛直距離Ｅｌｈが０．１〜０．４ｍの範囲内で車室内に取り付けられるようにされている。また、ダッシュボード５４と前部座席５０との間で、前部座席５０のドアなどの内側や、ダッシュボード５４の表面に車両用吸音材が設けられる場合にも、図９に示すように、車両用吸音材それぞれの吸音部２０、吸音部３０は、前部座席５０のヘッドレスト５００の下面から下方への鉛直距離Ｅｌｈが０．１〜０．４ｍの範囲内で車室内に取り付けられるようにされている。
【００３２】
そして、前部座席５０及び後部座席５２の背もたれ部分が、垂直に立てられたり、倒されて、例えば約０〜３０度の範囲で傾きが変えられることによりヘッドレスト５００又はヘッドレスト５２０の位置が変化したとしても、鉛直距離Ｅｌｈは０．１〜０．４ｍの範囲内であるとする。
【００３３】
そして、吸音部１２は、通気抵抗ＡＦＲ（Ｎｓ／ｍ３）及び鉛直距離Ｅｌｈ（ｍ）が、下式（１）を満たすように構成されている。
【００３４】
２１０＜ＡＦＲ＋１０／Ｅｌｈ＜３０２０        ・・・（１）
なお、本願における車両用吸音材１は、ダッシュインシュレータ４０及びカーペット４２を含まないものとする。ダッシュインシュレータ４０は、車室内の乗車空間とエンジンルームなどとの間に設けられ、搭乗者の目につきにくいために表皮１０６を備えておらず、一般的な大人の搭乗者の耳や口の位置から遠い位置に配置されているためである。また、カーペット４２も、一般的な大人の搭乗者の耳や口の位置から遠い位置に配置されているためである。すなわち、ダッシュインシュレータ４０及びカーペット４２は、搭乗者の会話の明瞭性に対する影響度が相対的に低いと考えられている。
【００３５】
図１０は、車室内に配置される部材の吸音特性を例示するグラフである。図１０において、Ａの曲線は、鉛直距離Ｅｌｈが小さく、通気抵抗ＡＦＲが２００（Ｎｓ／ｍ３）である場合に設定される吸音部１２の吸音特性を示している。また、Ｂの曲線は、鉛直距離Ｅｌｈが大きく、通気抵抗ＡＦＲが３０００（Ｎｓ／ｍ３）である場合に設定される吸音部１２の吸音特性を示している。また、Ｃの曲線は、比較例としてのカーペット４２の通気抵抗ＡＦＲが１５００（Ｎｓ／ｍ３）以上である場合の吸音特性を示している。
【００３６】
図１０に示すように、吸音部１２は、１０００Ｈｚ以上の吸音率が１０００Ｈｚ未満の吸音率よりも高くなるようにされている。ここでは、搭乗者の会話の明瞭性に対する影響度が大きな周波数帯が１０００Ｈｚ未満であるとしているためである。また、１０００Ｈｚ以上の周波数帯は、不要な車室内の音が多く含まれているとして、吸音率が高くされている。
【００３７】
このように、吸音部１２、吸音部２０及び吸音部３０は、それぞれ鉛直距離Ｅｌｈが０．１〜０．４ｍの範囲内となるように車室内に配置されることにより、一般的な大人の搭乗者の耳や口の位置よりも所定範囲内の下方に配置されることとなり、上述した吸音特性によって搭乗者の会話に対する吸音を抑えつつ、車室内のその他の不要な音を吸収することができる。
【００３８】
次に、車両用吸音材１の変形例について説明する。図１１は、車両用吸音材１の第１変形例（車両用吸音材１ａ）を裏側からみた構成例を示す図である。以下、実質的に同一の構成には同一の符号が付してある。
【００３９】
図１１に示すように、車両用吸音材１ａは、折曲部１６の端部にファスナー１９が設けられている。ファスナー１９は、車両用吸音材１ａを構成する各部に対し、任意の部材又は所定の部材の着脱を可能にしている。例えば、ファスナー１９は、表皮１０６を交換可能に着脱するように構成されていてもよい。
【００４０】
図１２は、車両用吸音材１の第２変形例（車両用吸音材２）を示す図である。図１２に示すように、車両用吸音材２は、例えば、後部座席５２側のドア６０に取り付けられ、図９に示した吸音部２０を備えるように構成されている。
【００４１】
次に、吸音部１２の変形例について説明する。
【００４２】
図１３は、吸音部１２の変形例を示す図である。図１３（ａ）は、吸音部１２の第１変形例（吸音部１２ａ）を示す図である。図１３（ｂ）は、吸音部１２の第２変形例（吸音部１２ｂ）を示す図である。
【００４３】
図１３（ａ）に示すように、吸音部１２ａは、例えば第３繊維材１０８、発泡層としての硬質ウレタン１１０、ＰＥパウダー１０４及び表皮１０６が重ねられて一体成形されることによって構成されている。
【００４４】
第３繊維材１０８は、例えば１２００ｇ／ｍ２のＰＥＴによって形成されている。硬質ウレタン１１０は、第３繊維材１０８と表皮１０６との間に挟まれて、厚さが５ｍｍ以上１５ｍｍ以下にされている。例えば、硬質ウレタン１１０は、厚さが１０ｍｍにされている。
【００４５】
図１３（ｂ）に示すように、吸音部１２ｂは、例えば第４繊維材１１２、発泡層としての軟質ウレタン１１４、ＰＥパウダー１０４及び表皮１０６が重ねられて一体成形されることによって構成されている。
【００４６】
第４繊維材１１２は、例えば６００ｇ／ｍ２のＰＥＴによって形成されている。軟質ウレタン１１４は、第４繊維材１１２と表皮１０６との間に挟まれて、厚さが５ｍｍ以上１５ｍｍ以下にされている。例えば、軟質ウレタン１１４は、厚さが１０ｍｍにされている。
【００４７】
なお、吸音部１２ａ及び吸音部１２ｂは、いずれも繊維以外の部材である厚さが５ｍｍ以上の発泡層としてのウレタンを備えており、通気抵抗が所定値以上になるようにされている。例えば、ウレタンの厚さが１〜２ｍｍのように、５ｍｍ未満である場合には、通気抵抗が小さく、音響特性に対する影響が小さくなってしまうためである。なお、発泡層はウレタンに限らず、周知の発泡材料で成形できるものであればそれでもよい。
【００４８】
図１４は、吸音部１２の第３変形例（吸音部１２ｃ）を示す図である。図１４に示すように、吸音部１２ｃは、例えば第４繊維材１１２、ＰＥパウダー１０４及び表皮１０６が重ねられて一体成形されることによって構成されている。
【００４９】
図１５は、吸音部１２の第４変形例（吸音部１２ｄ）を示す図である。図１５に示すように、吸音部１２ｄは、吸音部１２ｃに対して、第４繊維材１１２の表皮１０６とは反対側に非通気性材１２０が重ねられることによって構成されている。例えば、非通気性材１２０は、非通気性の薄膜フィルムである。
【００５０】
なお、上述した吸音部１２ａ、吸音部１２ｂ及び吸音部１２ｃに対しても、非通気性材１２０が設けられていてもよい。
【００５１】
次に、吸音部１２の第１変形例〜第３変形例（吸音部１２ａ、吸音部１２ｂ、吸音部１２ｃ）の特性について説明する。
【００５２】
図１６は、吸音部１２の第１変形例〜第３変形例（吸音部１２ａ、吸音部１２ｂ、吸音部１２ｃ）の特性を示す図である。図１６に示すように、吸音部１２ａは、面密度１６７１ｇ／ｍ２、厚さ２４．１ｍｍ、通気抵抗ＡＦＲ９００Ｎｓ／ｍ３となっている。吸音部１２ｂは、面密度１３２３ｇ／ｍ２、厚さ２３．１ｍｍ、通気抵抗ＡＦＲ２７０Ｎｓ／ｍ３となっている。吸音部１２ｃは、面密度１０６５ｇ／ｍ２、厚さ１２．１ｍｍ、通気抵抗ＡＦＲ２４０Ｎｓ／ｍ３となっている。  
【００５３】
このように、一実施形態にかかる車両用吸音材によれば、車両用吸音材の意匠性を生かしながら、前部座席に座っているドライバーと隣の前部座席に座っている搭乗者との会話や、前部座席に座っている搭乗者と後部座席に座っている搭乗者との会話に対して明瞭性を高めつつ、車室内の不要な音を低減することができる。
【符号の説明】
【００５４】
１,１ａ，２・・・車両用吸音材、１０・・・本体部、１２，１２ａ，１２ｂ，１２ｃ，１２ｄ，２０，２２，３０・・・吸音部、１４・・・端末部、１６・・・折曲部、１８・・・固定部、１９・・・ファスナー、５０・・・前部座席、５２・・・後部座席、５４・・・ダッシュボード、１００・・・第１繊維材、１０２・・・第２繊維材、１０４・・・ＰＥパウダー、１０６・・・表皮、１０８・・・第３繊維材、１１０・・・硬質ウレタン、１１２・・・第４繊維材、１１４・・・軟質ウレタン、１２０・・・非通気性材、１８０・・・接合突起、１８２・・・接着面、５００，５２０・・・ヘッドレスト
【図１】
2020049797.tif 000003
【図２】
2020049797.tif 000004
【図３】
2020049797.tif 000005
【図４】
2020049797.tif 000006
【図５】
2020049797.tif 000007
【図６】
2020049797.tif 000008
【図７】
2020049797.tif 000009
【図８】
2020049797.tif 000010
【図９】
2020049797.tif 000011
【図１０】
2020049797.tif 000012
【図１１】
2020049797.tif 000013
【図１２】
2020049797.tif 000014
【図１３】
2020049797.tif 000015
【図１４】
2020049797.tif 000016
【図１５】
2020049797.tif 000017
【図１６】
2020049797.tif 000018
【国際調査報告】
2020049797.tif 000019
2020049797.tif 000020
2020049797.tif 000021
2020049797.tif 000022